(57)【特許請求の範囲】
【請求項１】
開口部を有する前面、断熱壁からなる天面、背面および底面により構成した商品貯蔵庫内をパネルで仕切ることによりダクトを形成し、このダクト内の冷気を、天面の前側の冷気吹出口から吹き出して、底面の前側の冷気吸込口より吸込むことで前面の開口部にエアカーテンを形成する一方、前記ダクト内の冷気を、庫内背面側の背面パネルに設けた背面吹出口から庫内の商品棚に向けて吹き出すとともに、商品棚の下側に沿って設けた棚下ダクトを通じて商品棚の前側の棚下吹出口から吹き出すことにより商品棚上の商品を保冷するようにしたオープンショーケースにおいて、
背面吹出口から吹き出す冷気を遮るための遮風装置を、背面パネルの前方の棚下ダクトとその直下の商品棚との間に設置し、
遮風装置をフレキシブル材料で構成し、該遮風装置の端部を固定するための固定手段を設け、該固定手段が、棚板の背面パネル側の端部に設けた商品落下防止フェンスに遮風装置の端部を固定するものであることを特徴とするショーケース。
【請求項２】
背面パネルの背面吹出口を天面近傍にのみ設けたことを特徴とする請求項１に記載のショーケース。
【請求項３】
最下段の商品棚と遮風装置の下端部との間に隙間を設けたことを特徴とする請求項１または２に記載のショーケース。
【請求項４】
背面吹出口から吹き出した冷気を、背面パネルと商品棚と遮風装置により囲われる空間に溜め、棚下ダクトへ導くようにしたことを特徴とする１〜３のいずれか一つに記載のショーケース。
【請求項５】
棚下吹出口に風向板を配設したことを特徴とする請求項１〜４のいずれか一つに記載のショーケース。
【請求項６】
遮風装置を天面の内パネルとその直下の商品棚との間に設置したことを特徴とする請求項１〜５のいずれか一つに記載のショーケース。
【請求項７】
棚下ダクトの背面パネル側の端部に導風板を設けたことを特徴とする請求項１〜６のいずれか一つに記載のショーケース。
【請求項８】
遮風装置の長さを可変としたことを特徴とする請求項１〜７のいずれか一つに記載のショーケース。
【発明の詳細な説明】
【技術分野】
【０００１】
本発明は、複数の商品棚が上下多段に設置された商品貯蔵庫の前面開口に、循環冷気によりエアカーテンが形成される多段式のオープンショーケースに関するものである。
【背景技術】
【０００２】
従来、商品棚下に風道ダクトを設置したショーケースが知られている（例えば、特許文献１参照）。図１４に示すように、特許文献１のショーケースでは、棚１の取り付け位置の変更を容易とするため、背面パネル２（仕切板）全面に多数の冷気吹出孔３を穿設している。冷気吹出孔３からの冷気は棚下の風道ダクト４を通じて棚１の前方まで到達するようになっている。しかし、この構造は、風道ダクト４に入らない冷気が庫内５に流入して省エネに反する運転を招くおそれがあった。
【０００３】
そこで、余計な冷気が庫内に流入するのを防ぐための構造が知られている（例えば、特許文献２参照）。図１５に示すように、特許文献２のショーケースでは、背面パネル６の後面に開口を有する閉塞板７を設置して一部の冷気吹出孔８を塞ぐことで冷気流入量を抑制するようになっている。
【先行技術文献】
【特許文献】
【０００４】
【特許文献１】特開平１０−３００３１５号公報
【特許文献２】特開平１１−２５７８３０号公報
【発明の概要】
【発明が解決しようとする課題】
【０００５】
しかし、上記の特許文献２のショーケースは、背面パネル６の後面に閉塞板７をビス９で固定する構造であることから、商品棚１の取り付け位置を変更する際の操作性が低下するおそれがあった。このため、商品棚の取り付け位置の変更が容易で、余計な冷気が庫内に導入することがない省エネ効果に優れた構造の開発が求められていた。
【０００６】
本発明は、上記に鑑みてなされたものであって、商品棚の取り付け位置の変更が容易で、余計な冷気が庫内に導入することがない省エネ効果に優れたショーケースを提供することを目的とする。
【課題を解決するための手段】
【０００７】
上記した課題を解決し、目的を達成するために、本発明の請求項１に係るショーケースは、開口部を有する前面、断熱壁からなる天面、背面および底面により構成した商品貯蔵庫内をパネルで仕切ることによりダクトを形成し、このダクト内の冷気を、天面の前側の冷気吹出口から吹き出して、底面の前側の冷気吸込口より吸込むことで前面の開口部にエアカーテンを形成する一方、前記ダクト内の冷気を、庫内背面側の背面パネルに設けた背面吹出口から庫内の商品棚に向けて吹き出すとともに、商品棚の下側に沿って設けた棚下ダクトを通じて商品棚の前側の棚下吹出口から吹き出すことにより商品棚上の商品を保冷するようにしたオープンショーケースにおいて、背面吹出口から吹き出す冷気を遮るための遮風装置を、背面パネルの前方の棚下ダクトとその直下の商品棚との間に設置し、遮風装置をフレキシブル材料で構成し、該遮風装置の端部を固定するための固定手段を設け、該固定手段が、棚板の背面パネル側の端部に設けた商品落下防止フェンスに遮風装置の端部を固定するものであることを特徴とする。
【０００８】
また、本発明の請求項２に係るショーケースは、上述した請求項１において、背面パネルの背面吹出口を天面近傍にのみ設けたことを特徴とする。
【０００９】
また、本発明の請求項３に係るショーケースは、上述した請求項１または２において、最下段の商品棚と遮風装置の下端部との間に隙間を設けたことを特徴とする。
【００１０】
また、本発明の請求項４に係るショーケースは、上述した請求項１〜３のいずれか一つにおいて、背面吹出口から吹き出した冷気を、背面パネルと商品棚と遮風装置により囲われる空間に溜め、棚下ダクトへ導くようにしたことを特徴とする。
【００１１】
また、本発明の請求項５に係るショーケースは、上述した請求項１〜４のいずれか一つにおいて、棚下吹出口に風向板を配設したことを特徴とする。
【００１２】
また、本発明の請求項６に係るショーケースは、上述した請求項１〜５のいずれか一つにおいて、遮風装置を天面の内パネルとその直下の商品棚との間に設置したことを特徴とする。
【００１３】
また、本発明の請求項７に係るショーケースは、上述した請求項１〜６のいずれか一つにおいて、棚下ダクトの背面パネル側の端部に導風板を設けたことを特徴とする。
【００１４】
また、本発明の請求項８に係るショーケースは、上述した請求項１〜７のいずれか一つにおいて、遮風装置の長さを可変としたことを特徴とする。
【発明の効果】
【００１５】
本発明によれば、開口部を有する前面、断熱壁からなる天面、背面および底面により構成した商品貯蔵庫内をパネルで仕切ることによりダクトを形成し、このダクト内の冷気を、天面の前側の冷気吹出口から吹き出して、底面の前側の冷気吸込口より吸込むことで前面の開口部にエアカーテンを形成する一方、前記ダクト内の冷気を、庫内背面側の背面パネルに設けた背面吹出口から庫内の商品棚に向けて吹き出すとともに、商品棚の下側に沿って設けた棚下ダクトを通じて商品棚の前側の棚下吹出口から吹き出すことにより商品棚上の商品を保冷するようにしたオープンショーケースにおいて、背面吹出口から吹き出す冷気を遮るための遮風装置を、背面パネルの前方の棚下ダクトとその直下の商品棚との間に設置した。このため、商品棚の取り付け位置を変更する際は、前面の開口部から商品棚とともに遮風装置もその位置を容易に変更できる。また、遮風装置は背面パネルの前方に設置してあるので、背面吹出口から庫内に直接入り込もうとする冷風を遮風するとともに、この冷風を棚下ダクトに導くことができる。したがって、商品棚の取り付け位置の変更が容易で、余計な冷気が庫内に導入することがない省エネ効果に優れたショーケースを提供することができるという効果を奏する。
【図面の簡単な説明】
【００１６】
【図１】図１は、本発明の実施例１のショーケースを示す図である。
【図２】図２は、本発明の実施例１の冷気の流れを示す図である。
【図３】図３は、本発明の実施例２のショーケースを示す図である。
【図４】図４は、本発明の実施例２の冷気の流れを示す図であり、図３のＡ部分の拡大図である。
【図５】図５は、本発明の実施例３のショーケースの遮風装置を示す斜視図である。
【図６】図６は、本発明の実施例３の冷気の流れを示す図である。
【図７】図７は、本発明の実施例４のショーケースの遮風装置を示す斜視図である。
【図８】図８は、本発明の実施例５の冷気の流れを示す図である。
【図９】図９は、本発明の実施例６の冷気の流れを示す図である。
【図１０】図１０は、本発明の実施例６の変形例の冷気の流れを示す図である。
【図１１】図１１は、本発明の実施例６の変形例の遮風装置の固定手段の説明図である。
【図１２】図１２は、本発明の実施例７のショーケースを示す図である。
【図１３】図１３は、図１２のＢ部分の拡大図である。
【図１４】図１４は、従来のショーケースの一例を示す断面図である。
【図１５】図１５は、従来のショーケースの商品棚の一例を示す断面図である。
【発明を実施するための形態】
【００１７】
以下に、本発明に係るショーケースの実施の形態（実施例１〜７）を図面に基づいて詳細に説明する。なお、この実施例によりこの発明が限定されるものではない。
【００１８】
［実施例１］
図１および図２に示すように、本発明に係る実施例１のショーケース１００は、開口部１０を有する前面１２、断熱壁からなる天面１４、背面１６および底面１８により構成した商品貯蔵庫内を内パネル２２で仕切ることによりダクト２４を形成し、このダクト２４内の冷却器７０で作った冷気を循環ファン８０で送り出し、天面１４の前側の冷気吹出口２６から吹き出して、底面１８の前側の冷気吸込口２８より吸込むことで前面１２の開口部１０にエアカーテンＣを形成するオープンショーケースである。
【００１９】
このショーケース１００は、ダクト２４内の冷気を、庫内背面側の背面パネル３０に設けた多数の背面吹出口３２（長孔）から庫内２０に向けて吹き出すとともに、商品棚３４の下側に沿って設けた棚下ダクト３６を通じて商品棚３４の前側の棚下吹出口３８から吹き出すことにより商品棚３４上の図示しない商品を保冷するように構成してある。さらに、背面吹出口３２から吹き出す冷気を遮るための可動式の遮風装置４０を、背面パネル３０の前方の棚下ダクト３６とその直下の商品棚３４との間に設置してある。
【００２０】
これにより、背面吹出口３２から吹き出した冷気は、背面パネル３０と棚３４、および遮風装置４０により囲われる空間Ｄ（図２参照）に溜まり、その圧力により確実に棚下ダクト３６へ導かれ、棚３４の前方より吸込口２８方向へ吹出すことが可能となる。
【００２１】
このため、商品棚３４の取り付け位置を変更する際は、前面１２の開口部１０から商品棚３４とともに遮風装置４０もその位置を容易に変更できる。また、遮風装置４０は背面パネル３０の前方に設置してあるので、背面吹出口３２から庫内２０に直接入り込もうとする冷風を遮風するとともに、この冷風を棚下ダクト３６に導くことができる。したがって、商品棚３４の取り付け位置の変更が容易であるとともに、余計な冷気が庫内２０に導入することがなくなり、従来よりも省エネ効果を高めることができる。
【００２２】
上記の実施の形態において、棚３４の前側や棚下吹出口３８に風向板４２を配設してもよい。これにより、棚下ダクト３６を通って吹出された冷気と前面エアカーテンＣの干渉が緩和され、よりエアカーテンの乱れが抑制され、省エネ効果が高められる。
【００２３】
さらに、遮風装置４０を天面１４の内パネル２２とその直下の商品棚３４Ａとの間に設置してもよい。これにより、天面１４と最上段の商品棚３４Ａの棚板４４間の空間Ｅ（図２参照）に背面吹出口３２からの冷気を漏らすことなく、最上段の棚下ダクト３６Ａに冷気を導くことができる。
【００２４】
［実施例２］
図３および図４に示すように、本発明に係る実施例２のショーケース２００は、上記の実施例１で示したショーケースにおいて、棚下ダクト３６の背面パネル３０側の端部に導風板４６を設けたものである。
【００２５】
この導風板４６は、棚下ダクト３６の背面パネル３０側の端部を上側の棚板４４より長く形成することにより設けることができる。これにより、背面吹出口３２から吹き出して下降した冷気の一部は導風板４６に衝突するので、冷気を確実に棚下ダクト３６内に導くことが可能となる（図４参照）。また、導風板４６の長さを変更することにより、導く冷気の量をコントロールすることも可能となる。
【００２６】
［実施例３］
図５および図６に示すように、本発明に係る実施例３のショーケース３００は、上記の実施例１、２で示したショーケースにおいて、遮風装置４０の上下方向の長さを可変としたものである。遮風装置４０の長さを可変する可変機構４８は、図５に示すように、左右両側に上下方向の長孔４８ａを有する板状の遮風装置４０を複数枚部分的に重ね、重なり合う長孔４８ａに固定部材４８ｂを通して遮風装置４０同士を接続固定した機構である。それぞれの遮風装置４０を上下移動させることで、装置全体の上下方向長さを伸縮変更することができる。
【００２７】
これにより、商品に応じて棚３４の取り付け位置を自由に変更したい顧客の要求に対し、棚３４と棚３４の上下間隔が変わっても、棚３４と遮風装置４０の隙間Ｆ（図６参照）を０ないし一定に保つことが可能となり、隙間Ｆから庫内へ漏れる冷気量を抑制し、確実に棚下ダクト３６に冷気を導くことができる。
【００２８】
［実施例４］
本発明に係る実施例４のショーケースは、上記の実施例１〜３で示したショーケースにおいて、図７に示すように、遮風装置４０をビニールのようなフレキシブルな材料で構成したものである。この場合、上端部４０ｃを回転巻き取り部とし、下端部４０ａを自由端とするストッパー付きの巻き取り方式で構成することができる。これにより、軽量で、かつ、折り曲げや巻き取りが可能となり、顧客による棚の取り付け位置の変更が容易になる。
【００２９】
［実施例５］
図８に示すように、本発明に係る実施例５のショーケース５００は、上記の実施例４で示したショーケースにおいて、遮風装置４０の下端部４０ａを折り曲げて、磁石５０（固定手段）で磁性体からなる棚板４４上面に固定するようにしたものである。このようにフレキシブルの遮風装置４０を固定することにより、背面パネル３０と遮風装置４０間にできる風路の幅Ｇを一定の距離に保つことができ、遮風装置４０が揺れ動いて風路を塞ぐような事態を未然に防止することができる。
【００３０】
［実施例６］
図９に示すように、本発明に係る実施例６のショーケース６００は、上記の実施例５で示したショーケースにおいて、棚板４４の背面パネル３０側の端部に商品落下防止フェンス５２を立設し、遮風装置４０の下端部４０ａを磁石５０で商品落下防止フェンス５２に固定するようにしたものである。商品落下防止フェンス５２は、磁性体の棚板４４の端部を折り曲げて形成してもよい。
【００３１】
これにより、遮風装置４０がフレキシブルな材料で構成されても、フェンス５２と遮風装置４０が固定されるので、商品を確実に棚上に留めることが可能となり、背面パネル３０と遮風装置４０間にできる風路の幅Ｇ（図９参照）を一定の距離に保つことができ、遮風装置４０が揺れ動いて風路を塞ぐような事態を未然に防止することができる。
【００３２】
また、図１０に示すように、遮風装置４０の下端部４０ａにフック４０ｂを設けた態様としてもよい。この場合、図１１に示すように、フェンス５２に設けた係合孔５２ａにフック４０ｂを係合することにより遮風装置４０を固定してもよい。
【００３３】
［実施例７］
図１２および図１３に示すように、本発明に係る実施例７のショーケース７００は、上記の実施例１〜６で示したショーケースにおいて、背面パネル３０の背面吹出口３２を天面近傍にのみ設けたものである。この吹出口３２は、例えば天面近傍に上下２段に設けるなど複数設けてもよい。
【００３４】
これにより、下方向に向かう冷気の流れ（背面流：図１３参照）が形成され、導風板４６に衝突して各棚３４の棚下ダクト３６に均等に冷気を導入することが可能となり、各棚の温度が均一化され、図示しない商品の高鮮度化が図れるとともに、温度が高くなる箇所を冷やすために余計なエネルギーを使う必要がなく、省エネ効果を高めることができる。
【００３５】
また、最下段の商品棚３４Ｂ（デッキ）と遮風装置４０の下端部４０ａとの間に隙間Ｈ（図１２参照）を設けてもよい。これにより、背面流の余計な流量は、隙間Ｈを通って、外部空間を通らずに吸込口２８に吸込まれるため省エネが図れる。隙間Ｈがないと、必要以上の冷気が棚下ダクト３６を通って前面エアカーテンＣに衝突するため、乱れが生じて省エネに反する運転となってしまう。
【００３６】
また、商品棚３４の前端部３４ａにエアカーテンの気流を通すためのスリット５４とフェンス５６を設けてもよい。この場合、フェンス５６に導光板や照明を設けることができる。棚下ダクト３６を通った冷気と前面エアカーテンＣの流れの向きは、フェンス５６とスリット５４によってコントロールされ、さらなる省エネを図ることが可能となる。
【００３７】
以上説明したように、本発明によれば、開口部を有する前面、断熱壁からなる天面、背面および底面により構成した商品貯蔵庫内をパネルで仕切ることによりダクトを形成し、このダクト内の冷気を、天面の前側の冷気吹出口から吹き出して、底面の前側の冷気吸込口より吸込むことで前面の開口部にエアカーテンを形成する一方、前記ダクト内の冷気を、庫内背面側の背面パネルに設けた背面吹出口から庫内の商品棚に向けて吹き出すとともに、商品棚の下側に沿って設けた棚下ダクトを通じて商品棚の前側の棚下吹出口から吹き出すことにより商品棚上の商品を保冷するようにしたオープンショーケースにおいて、背面吹出口から吹き出す冷気を遮るための遮風装置を、背面パネルの前方の棚下ダクトとその直下の商品棚との間に設置した。このため、商品棚の取り付け位置を変更する際は、前面の開口部から商品棚とともに遮風装置もその位置を容易に変更できる。また、遮風装置は背面パネルの前方に設置してあるので、背面吹出口から庫内に直接入り込もうとする冷風を遮風するとともに、この冷風を棚下ダクトに導くことができる。したがって、商品棚の取り付け位置の変更が容易で、余計な冷気が庫内に導入することがない省エネ効果に優れたショーケースを提供することができる。
【産業上の利用可能性】
【００３８】
以上のように、本発明に係るショーケースは、複数の商品棚が上下多段に設置された商品貯蔵庫の前面開口にエアカーテンが形成される多段式のオープンショーケースに有用であり、特に、余計な冷気が庫内に流入するのを防いで省エネ効果を高めるのに適している。
【符号の説明】
【００３９】
１００〜７００  ショーケース
１０  開口部
１２  前面
１４  天面
１６  背面
１８  底面
２０  商品貯蔵庫内
２２  内パネル
２４  ダクト
２６  冷気吹出口
２８  冷気吸込口
３０  背面パネル
３２  背面吹出口
３４  商品棚
３６  棚下ダクト
３８  棚下吹出口
４０  遮風装置
４２  風向板
４４  棚板
４６  導風板
４８  可変機構
５０  磁石（固定手段）
５２  商品落下防止フェンス
５４  スリット
５６  フェンス
Ｃ  エアカーテン
Ｄ，Ｅ  空間
Ｆ，Ｈ  隙間
Ｇ  幅
【図１】
0005742249.tif 000002
【図２】
0005742249.tif 000003
【図３】
0005742249.tif 000004
【図４】
0005742249.tif 000005
【図５】
0005742249.tif 000006
【図６】
0005742249.tif 000007
【図７】
0005742249.tif 000008
【図８】
0005742249.tif 000009
【図９】
0005742249.tif 000010
【図１０】
0005742249.tif 000011
【図１１】
0005742249.tif 000012
【図１２】
0005742249.tif 000013
【図１３】
0005742249.tif 000014
【図１４】
0005742249.tif 000015
【図１５】
0005742249.tif 000016